(57)【要約】【課題】視聴機器を整然と集約した展示形態にできて、顧客にとって、見分け易く、他商品（他メーカ品）との比較が容易であり、しかも展示状態でのセールスインパクトが強く、かつ視聴に臨場感があるとともに、試用及び製品評価も便利な陳列視聴ブースを提供する。【解決手段】六角形の筒形を各面に分割し、そのうちの一つの面に相当する１個の開口枠１と、残りの面に相当する５個の書棚状陳列棚２ａ〜２ｅとを互いの側面で分離可能に接合させて、開口枠１で出入り口３、５個の陳列棚２ａ〜２ｅで壁部が形成される六角形の筒形ブースを構成する。多数の視聴機器１１を、陳列棚の前面に設けた前板１２の嵌め込み口１３にそれぞれ嵌め込んで棚板上に陳列設置する。少なくとも一つの陳列棚２ｃに、視聴機器１１を操作するコンソール７を取り付ける。【選択図】　図２
2004033492.tif 000002
【特許請求の範囲】
【請求項１】
多角形の筒形を各面に分割し、そのうちの一つの面に相当する１個の開口枠と、残りの面に相当する複数の書棚状陳列棚とを互いの側面で分離可能に接合させて、前記開口枠で出入り口、前記複数の陳列棚で壁部が形成される多角形の筒形ブースが構成され、複数の陳列棚の棚板上に、多数の視聴機器が陳列されているとともに、少なくとも一つの陳列棚に、視聴機器を操作するコンソールが取り付けられていることを特徴とする陳列視聴ブース。
【請求項２】
多数の視聴機器が、陳列棚の前面に設けた前板の嵌め込み口にそれぞれ嵌め込んで陳列棚の棚板上に設置されていることを特徴とする請求項１に記載の陳列視聴ブース。
【請求項３】
少なくとも一つの陳列棚の棚板上に、視聴機器のカタログを置くカタログ設置部が形成されていることを特徴とする請求項１又は２に記載の陳列視聴ブース。
【請求項４】
筒形ブースの床部が、開口枠及び陳列棚と分離した中空の床板で構成され、その中空部に電気配線が施されていることを特徴とする請求項１、２又は３に記載の陳列視聴ブース。
【請求項５】
各陳列棚の背面が分離可能な背板によって閉じられていることを特徴とする請求項１、２、３又は４に記載の陳列視聴ブース。
【請求項６】
筒形ブースが六角形であることを特徴とする請求項１、２、３、４又は５に記載の陳列視聴ブース。
【発明の詳細な説明】
【０００１】
【発明の属する技術分野】
本発明は、オーディオ機器やＤＶＤプレヤーやカーナビゲーション装置等の視聴機器を陳列して顧客が自由に視聴できるようにする陳列視聴ブースに関する。
【０００２】
【従来の技術】
近年、自動車は、カーオーディオ機器以外に、ＤＶＤ（デジタルビデオディスク）やＨＤＤ（ハードディスク）によるカーナビゲーション装置を搭載したもの、それにチューナを付属してテレビジョン放送やＦＭラジオ放送を視聴できるようにしたもの、ＤＶＤプレーヤーを搭載したものなど、搭載する視聴装置の種類が多様になり、また同じメーカでも型式等が違う商品数が増えているが、従来、カー用品販売店などでこれらの自動車用視聴装置を展示する場合、固定の展示台上に一つの商品ユニットごとに分けて置くとか、陳列台上に並べて置いていただけであった。また、仕様書きやカタログの設置位置も一様ではなかった。
【０００３】
【発明が解決しようとする課題】
そのため、整然と集約した展示形態ではなく、顧客にとって、見分けがたいとか、他商品（他のメーカ）との比較がしづらいとか、展示状態でのセールスインパクトが弱いとか、視聴の臨場感が欠けるとか、試用が不便である等の問題があった。
【０００４】
そこで、本発明の目的は、視聴機器を整然と集約した展示形態にできて、顧客にとって、見分け易く、他商品（他メーカ品）との比較が容易であり、しかも展示状態でのセールスインパクトが強く、かつ視聴に臨場感があるとともに、試用及び製品評価も便利な陳列視聴ブースを提供することにある。
【０００５】
【課題を解決するための手段】
本発明の陳列視聴ブースは、多角形の筒形を各面に分割し、そのうちの一つの面に相当する１個の開口枠と、残りの面に相当する複数の書棚状陳列棚とを互いの側面で分離可能に接合させて、開口枠で出入り口、複数の陳列棚で壁部が形成される多角形の筒形ブースが構成され、複数の陳列棚の棚板上に、多数の視聴機器が陳列されているとともに、少なくとも一つの陳列棚に、視聴機器を操作するコンソールが取り付けられていることを特徴とする。
【０００６】
更に次のような手段を講ずると良い。
多数の視聴機器は、陳列棚への固定と、陳列の整然性を良くするため、陳列棚の前面に設けた前板の嵌め込み口にそれぞれ嵌め込んで陳列棚の棚板上に設置する。
【０００７】
少なくとも一つの陳列棚の棚板上には、視聴機器のカタログを置くカタログ設置部が形成されている。
【０００８】
筒形ブースの床部は、開口枠及び陳列棚と分離した中空の床板で構成され、その中空部に電気配線が施されている。
【０００９】
筒形ブースを構成した後、その外側から陳列棚に視聴機器をセットできるように、各陳列棚の背面は、分離可能な背板によって閉じる。
【００１０】
筒形ブースを六角形とすれば、複数のブースをハニカム状に重ねて設置できる。
【００１１】
【発明の実施の形態】
次に、本発明の実施の形態を図面に基づいて詳細に説明する。
【００１２】
図１に本発明の一実施例を示す。この陳列視聴ブースは、全体として六角形の筒形で、その六角筒形の各面に分割（六等分）し、そのうちの一つの面に相当する１個の開口枠１と、残りの面に相当する５個の書棚状陳列棚２ａ〜２ｅとを互いの側面で分離可能に接合させて、開口枠１で出入り口３、各陳列棚２ａ〜２ｅで壁部が形成され、また図２に示すように、２分割した床板４ａ・４ｂで床部が形成されている。図２は２個の陳列棚２ａ・２ｂを省略して示す。
【００１３】
開口枠１は、板材を上下左右に配して枠組みしただけで、人が立って出入りできる出入り口３を形成する。
【００１４】
５個の陳列棚２ａ〜２ｅは、天板と底板と左右の側板と背板とで縦長の箱状に組み立て、その中に棚板を任意の複数段ずつ架設して書棚状にしたことでは共通している。その中の一つで、出入り口３から見て正面に当たる陳列棚２ｃは、視聴機器の操作を行うコンソール付きとなっている。
【００１５】
図３〜図８にこの正面の陳列棚２ｃを示す。この陳列棚２ｃは、最下段の棚板の下部及び上部が制御盤等のための設置空間となっていて、その前面を波付き裾板５で閉じ、その正面中央から突出させた傾斜スタンド６にてコンソール７を支持している。コンソール７には、本例ではタッチパネルを設置するようになっており、陳列した視聴機器をタッチパネルで選んで視聴できるようになっている。また、このコンソール７の後ろ側において、前板８に傾斜した掲示卓９が設けられている。この掲示卓９には、コンソール７の操作法の説明等が掲示されている。
【００１６】
また、この陳列棚２ｃには、掲示卓９より上側の段の棚板１０上に、複数の視聴機器１１が前面に設けた前板１２の嵌め込み口１３にそれぞれ嵌め込んで陳列設置されている。更に、陳列棚２ｃの最上段の空間１４は、照明灯を設置してブース内を照明するために利用され、その前面を閉じる透明又は半透明の前板１５には、ブース内を演出するための絵等が表示され、内側からの照明にて映し出されるようになっている。このような最上段の構成については、他の陳列棚も同様である。陳列棚２ｃの背板１６は、陳列棚２ｃ内に上記のようなものの設置が完了した後、閉じる。他の陳列棚の背板も同様である。
【００１７】
図９〜図１４に、正面の陳列棚２ｃの左隣の陳列棚２ｄを示す。この陳列棚２ｄには、種々のスピーカ１７が、前面に設けた前板１８の嵌め込み口１９にそれぞれ嵌め込んで棚板２０上に陳列設置されている。
【００１８】
図１５〜図２０に更にその左隣の陳列棚２ｅを示す。この陳列棚２ｅの中段には、棚板２１の前縁に、左右１組の針金状のカタログスタンド２２を設立することにより、各棚板２１について複数のカタログ設置部２３が形成され、各カタログ設置部２３に視聴機器のカタログを自由に取り出し可能に保持できるようになっている。
【００１９】
図２１〜図２６に正面の陳列棚２ｃの右隣の陳列棚２ｂを示す。設置した状態を図示していないが、この陳列棚２ｂにも、複数の視聴機器が前面に設けた前板の嵌め込み口にそれぞれ嵌め込んで陳列設置されている。この更に右隣の陳列棚２ａも同様である。なお、視聴機器は、前板の嵌め込み口に嵌め込んで陳列しなくとも、棚板上にそのまま設置してもよいこと勿論である。
【００２０】
開口枠１及び５個の陳列棚２ａ〜２ｅ同士は、それらの左右の側板をビスやボルト・ナットを用いて接合され、その接合を行う側板の下端部には、電気配線のための配線口２４が形成されている。また、視聴機器を設置する一部の棚板にも電気配線のための配線孔２５が形成されている。
【００２１】
図２に示すように、ブースの床部を形成する床板４ａ・４ｂは、二枚の板材を間隔をおいて重ねてその間を中空にしたもので、その中空部２６に電気配線が施されている。なお、床板４ａ・４ｂの一方又は両方の上面を透明ガラスとしてショーケース状にすれば、床部も陳列スペースのようになるので、ブース内の装飾効果を高めることができる。
【００２２】
六角筒形としたこの陳列視聴ブースの天井部には、六角形の枠部２７に６本のリブ２８にて中心コア２９を保持した天井飾り枠３０が設置されている。その中心コア２９に照明灯を設ければ、ブース内を天井中央から照明できる。
【００２３】
このような六角筒形の陳列視聴ブースは、その複数をハニカム状に重ねて設置することができる。
【００２４】
図２７及び図２８の他の実施例は、天井飾り枠３０を省略するとともに、一部の陳列棚について展示形態を変えたもので、実質的な構造は上記の実施例と同じである。
【００２５】
なお、上記の実施例では六角形の筒形ブースとしたが、六角形以外の多角形でもよい。
【００２６】
【発明の効果】
以上述べたように本発明の陳列視聴ブースによれば、カー用品販売店などで自動車用視聴装置を展示する場合、視聴機器を整然と集約した展示形態にできて、顧客にとって、見分け易く、他商品（他メーカ品）との比較が容易であり、しかも展示状態でのセールスインパクトが強く、かつ視聴に臨場感があるとともに、試用及び製品評価も便利である。
【図面の簡単な説明】
【図１】本発明の一実施例である陳列視聴ブースの全体斜視図である。
【図２】その一部の陳列棚を省略した斜視図である。
【図３】出入り口から見て正面に当たる陳列棚の斜視図である。
【図４】その平面図である。
【図５】同じく正面図である。
【図６】同じく側面図である。
【図７】同じく断面図である。
【図８】同じく背板を除いた裏側の斜視図である。
【図９】正面の陳列棚の左隣の陳列棚の斜視図である。
【図１０】その平面図である。
【図１１】同じく正面図である。
【図１２】同じく側面図である。
【図１３】同じく断面図である。
【図１４】同じく背板を除いた裏側の斜視図である。
【図１５】更にその左隣の陳列棚の斜視図である。
【図１６】その平面図である。
【図１７】同じく正面図である。
【図１８】同じく側面図である。
【図１９】同じく断面図である。
【図２０】同じく背板を除いた裏側の斜視図である。
【図２１】正面の陳列棚の右隣の陳列棚の斜視図である。
【図２２】その平面図である。
【図２３】同じく正面図である。
【図２４】同じく側面図である。
【図２５】同じく断面図である。
【図２６】同じく背板を除いた裏側の斜視図である。
【図２７】本発明の他の実施例である陳列視聴ブースの全体斜視図である。
【図２８】その一部の陳列棚を省略した斜視図である。
【符号の説明】
１　開口枠
２ａ〜２ｅ　陳列棚
３　出入り口
４ａ・４ｂ　床板
５　波付き裾板
６　傾斜スタンド
７　コンソール
８　前板
９　掲示卓
１０　棚板
１１　視聴機器
１２　前板
１３　嵌め込み口
１４　空間
１５　前板
１６　背板
１７　スピーカ
１８　前板
１９　嵌め込み口
２０　棚板
２１　棚板
２２　カタログスタンド
２３　カタログ設置部
２４　配線口
２５　配線孔
２６　中空部
２７　枠部
２８　リブ
２９　中心コア
３０　天井飾り枠
【図１】
2004033492.tif 000003
【図２】
2004033492.tif 000004
【図３】
2004033492.tif 000005
【図４】
2004033492.tif 000006
【図５】
2004033492.tif 000007
【図６】
2004033492.tif 000008
【図７】
2004033492.tif 000009
【図８】
2004033492.tif 000010
【図９】
2004033492.tif 000011
【図１０】
2004033492.tif 000012
【図１１】
2004033492.tif 000013
【図１２】
2004033492.tif 000014
【図１３】
2004033492.tif 000015
【図１４】
2004033492.tif 000016
【図１５】
2004033492.tif 000017
【図１６】
2004033492.tif 000018
【図１７】
2004033492.tif 000019
【図１８】
2004033492.tif 000020
【図１９】
2004033492.tif 000021
【図２０】
2004033492.tif 000022
【図２１】
2004033492.tif 000023
【図２２】
2004033492.tif 000024
【図２３】
2004033492.tif 000025
【図２４】
2004033492.tif 000026
【図２５】
2004033492.tif 000027
【図２６】
2004033492.tif 000028
【図２７】
2004033492.tif 000029
【図２８】
2004033492.tif 000030
【手続補正書】
【提出日】平成14年9月24日(2002.9.24)
【手続補正１】
【補正対象書類名】明細書
【補正対象項目名】特許請求の範囲
【補正方法】変更
【補正の内容】
【特許請求の範囲】
【請求項１】
多角形の筒形を各面に分割し、そのうちの一つの面を出入り口として、残りの面に相当する複数の書棚状陳列棚を互いの側面で分離可能に接合させて、複数の陳列棚で壁部が形成される多角形の筒形ブースが構成され、複数の陳列棚の棚板上に、多数の視聴機器が陳列されているとともに、少なくとも一つの陳列棚に、視聴機器を操作するコンソールが取り付けられていることを特徴とする陳列視聴ブース。
【請求項２】
多数の視聴機器が、陳列棚の前面に設けた前板の嵌め込み口にそれぞれ嵌め込んで陳列棚の棚板上に設置されていることを特徴とする請求項１に記載の陳列視聴ブース。
【請求項３】
少なくとも一つの陳列棚の棚板上に、視聴機器のカタログを置くカタログ設置部が形成されていることを特徴とする請求項１又は２に記載の陳列視聴ブース。
【請求項４】
筒形ブースの床部が、陳列棚と分離した中空の床板で構成され、その中空部に電気配線が施されていることを特徴とする請求項１、２又は３に記載の陳列視聴ブース。
【請求項５】
各陳列棚の背面が分離可能な背板によって閉じられていることを特徴とする請求項１、２、３又は４に記載の陳列視聴ブース。
【請求項６】
筒形ブースが六角形であることを特徴とする請求項１、２、３、４又は５に記載の陳列視聴ブース。
【手続補正２】
【補正対象書類名】明細書
【補正対象項目名】０００５
【補正方法】変更
【補正の内容】
【０００５】
【課題を解決するための手段】
本発明の陳列視聴ブースは、多角形の筒形を各面に分割し、そのうちの一つの面を出入り口として、残りの面に相当する複数の書棚状陳列棚を互いの側面で分離可能に接合させて、複数の陳列棚で壁部が形成される多角形の筒形ブースが構成され、複数の陳列棚の棚板上に、多数の視聴機器が陳列されているとともに、少なくとも一つの陳列棚に、視聴機器を操作するコンソールが取り付けられていることを特徴とする。


【手続補正３】
【補正対象書類名】明細書
【補正対象項目名】０００８
【補正方法】変更
【補正の内容】
【０００８】
筒形ブースの床部は、陳列棚と分離した中空の床板で構成され、その中空部に電気配線が施されている。